(57)【要約】【課題】より早い画面の切り替えが可能なエレクトロクロミック表示デバイスを実現する。【解決手段】エレクトロクロミック表示デバイス１００において、第２電極４０に関する４つの領域（Ｒ１〜Ｒ４）を同時にスキャンするように、各領域の第１電極２０を１９２本スキャンするパッシブマトリックス駆動によって、１画面分の表示を行うことができる。これにより、従来のエレクトロクロミック表示デバイスにおいて、１画面分の表示に、第１電極２０を７６８本スキャンするパッシブマトリックス駆動に要していた時間を四分の一にすることができる。このようにエレクトロクロミック表示デバイス１００は、１画面あたりの表示に要する時間を短縮することによって、より早く画面の表示を切り替えることが可能になる。【選択図】図１
2012027352.tif 000002
【特許請求の範囲】
【請求項１】
第１基板と、前記第１基板の上面に設けられた第１電極と、前記第１基板の上方に当該第１基板に対向して設けられ、透明な材料により形成された第２基板と、前記第２基板の下面に設けられ、少なくとも一部が透明な電極材料により形成された第２電極と、前記第１基板と前記第２基板との間に設けられたエレクトロクロミック組成物層と、を備え、前記第１電極と前記第２電極との間の通電によって表示を実施するとともに、前記第１電極と前記第２電極との間の当該表示のための通電とは逆方向の通電によって当該表示の消去を実施するパッシブマトリクス駆動のエレクトロクロミック表示デバイスにおいて、
前記第１電極は、並行して延在する複数の電極であり、
前記第２電極は、前記第１電極と直交する方向に並行して延在する複数の透明表示電極であり、前記第１電極と交差する複数の領域に分割されており、
前記第１電極と前記第２電極とが立体交差する部分に画素が形成されるようになっており、
前記第２電極と前記第２基板の間で前記第２電極に沿う方向に、前記複数の領域に亘って延在する複数の金属電線が設けられているとともに、前記金属電線は、前記複数の領域のうち何れか一つの領域に対応する前記第２電極と導通可能に接続され、それ以外の領域に対応する前記第２電極とは絶縁されていることを特徴とするエレクトロクロミック表示デバイス。
【請求項２】
前記第２電極は、それぞれ同じ数の前記第１電極と交差する複数の領域に分割されていることを特徴とする請求項１に記載のエレクトロクロミック表示デバイス。
【請求項３】
前記金属電線は、前記第２電極の一方の端部から中央側に延在し、当該エレクトロクロミック表示デバイスにおける一方の半面側の前記領域に亘って配されているものと、前記第２電極の他方の端部から中央側に延在し、当該エレクトロクロミック表示デバイスにおける他方の半面側の前記領域に亘って配されているものがあることを特徴とする請求項１又は２に記載のエレクトロクロミック表示デバイス。
【請求項４】
前記金属電線は、前記第２基板の下面に離間した配置に並行して設けられ、前記第２電極に覆われていることを特徴とする請求項１〜３の何れか一項に記載のエレクトロクロミック表示デバイス。
【請求項５】
前記金属電線は、前記第２基板の下面に積層した配置に設けられ、前記第２電極に覆われていることを特徴とする請求項１〜３の何れか一項に記載のエレクトロクロミック表示デバイス。
【発明の詳細な説明】
【技術分野】
【０００１】
本発明は、エレクトロクロミック表示デバイスに関する。
【背景技術】
【０００２】
電子情報ネットワークの普及に伴い、従来の印刷技術による書籍に代わり、電子書籍の形での出版、すなわち電子出版が盛んに行われるようになってきた。こうしたネットワークで配信される電子情報を表示する装置として、例えば、ＣＲＴ（Cathode Ray Tube）ディスプレイやバックライト型液晶ディスプレイが一般的に用いられている。しかしながら、これらのディスプレイを用いた表示は、紙に印刷した慣用の表示に比べ、読む場所が制限され、取り扱いの面においても重量、大きさ、形状、携帯性の点で劣る。また、これらのディスプレイは消費電力が大きいため、電池による駆動であれば表示時間にも制限が生じてしまう。さらに、これらのディスプレイは、何れも発光型のディスプレイであり、長時間凝視すると高度の疲労を招くことがあるという問題もある。
【０００３】
したがって、上記のような問題を解決できる表示デバイス、さらには、書き換え可能な表示デバイスが望まれている。このような表示デバイスとして、ペーパーライクディスプレイ或いは電子ペーパーと称するものが提案されている。具体的には、例えば、反射型液晶方式の表示デバイス、電気泳動方式の表示デバイス、二色性の粒子を電場で回転させる方式の表示デバイス、エレクトロクロミック方式の表示デバイス（例えば、特許文献１参照）等がこれまでに提案されている。
【先行技術文献】
【特許文献】
【０００４】
【特許文献１】特開２００５−８４２１６号公報
【発明の概要】
【発明が解決しようとする課題】
【０００５】
しかしながら、上記特許文献１のエレクトロクロミック表示デバイスの場合、ゲート線に走査信号を供給して各画素を順次走査していき、１ライン毎に画素の書き換えを行うようになっているため、大画面や高精細画面のようにラインの数が多い表示デバイスでは、その画面の書き換え時間が長くなってしまう。
そのため、従来の表示デバイスは、より速い書き換え速度が要求され、素早く画面を切り替える必要がある用途には不向きであった。
【０００６】
本発明の目的は、より早い画面の切り替えが可能なエレクトロクロミック表示デバイスを提供することである。
【課題を解決するための手段】
【０００７】
以上の課題を解決するため、請求項１に記載の発明は、
第１基板と、前記第１基板の上面に設けられた第１電極と、前記第１基板の上方に当該第１基板に対向して設けられ、透明な材料により形成された第２基板と、前記第２基板の下面に設けられ、少なくとも一部が透明な電極材料により形成された第２電極と、前記第１基板と前記第２基板との間に設けられたエレクトロクロミック組成物層と、を備え、前記第１電極と前記第２電極との間の通電によって表示を実施するとともに、前記第１電極と前記第２電極との間の当該表示のための通電とは逆方向の通電によって当該表示の消去を実施するパッシブマトリクス駆動のエレクトロクロミック表示デバイスにおいて、
前記第１電極は、並行して延在する複数の電極であり、
前記第２電極は、前記第１電極と直交する方向に並行して延在する複数の透明表示電極であり、前記第１電極と交差する複数の領域に分割されており、
前記第１電極と前記第２電極とが立体交差する部分に画素が形成されるようになっており、
前記第２電極と前記第２基板の間で前記第２電極に沿う方向に、前記複数の領域に亘って延在する複数の金属電線が設けられているとともに、前記金属電線は、前記複数の領域のうち何れか一つの領域に対応する前記第２電極と導通可能に接続され、それ以外の領域に対応する前記第２電極とは絶縁されていることを特徴とする。
【０００８】
請求項２に記載の発明は、請求項１に記載のエレクトロクロミック表示デバイスにおいて、
前記第２電極は、それぞれ同じ数の前記第１電極と交差する複数の領域に分割されていることを特徴とする。
【０００９】
請求項３に記載の発明は、請求項１又は２に記載のエレクトロクロミック表示デバイスにおいて、
前記金属電線は、前記第２電極の一方の端部から中央側に延在し、当該エレクトロクロミック表示デバイスにおける一方の半面側の前記領域に亘って配されているものと、前記第２電極の他方の端部から中央側に延在し、当該エレクトロクロミック表示デバイスにおける他方の半面側の前記領域に亘って配されているものがあることを特徴とする。
【００１０】
請求項４に記載の発明は、請求項１〜３の何れか一項に記載のエレクトロクロミック表示デバイスにおいて、
前記金属電線は、前記第２基板の下面に離間した配置に並行して設けられ、前記第２電極に覆われていることを特徴とする。
【００１１】
請求項５に記載の発明は、請求項１〜３の何れか一項に記載のエレクトロクロミック表示デバイスにおいて、
前記金属電線は、前記第２基板の下面に積層した配置に設けられ、前記第２電極に覆われていることを特徴とする。
【発明の効果】
【００１２】
本発明によれば、エレクトロクロミック表示デバイスの第２電極は、第１電極と交差する複数の領域に分割されており、その第２電極の各領域はそれぞれに対応する金属電線により通電がなされるようになっている。つまり、第２電極の領域ごとにエレクトロクロミック組成物層に対する通電を行い、それら領域ごとの表示（発色）を独立して行うことができるようになっている。
そして、複数の領域を同時にスキャンするように、各領域に応じた第１電極をスキャンするパッシブマトリックス駆動によって、１画面分の表示を行うようにすれば、１画面の表示に要する時間を短縮することができる。
【００１３】
具体的に、例えば、従来のエレクトロクロミック表示デバイスにおいて、１画面分の表示を行う際に、７６８本の第１電極をスキャンするパッシブマトリックス駆動を要していた場合、１９２本の第１電極と交差する４つの領域に第２電極を分割し、各領域に対応する金属電線を設ける。その４つの領域を同時にスキャンするように、各領域の第１電極を１９２本スキャンするパッシブマトリックス駆動によって、１画面分の表示を行うことが可能になり、全ての第１電極のスキャンに要する時間を従来の四分の一にすることができ、１画面の表示に要する時間を四分の一に短縮することが可能になる。
【００１４】
このように、本発明のエレクトロクロミック表示デバイスは、分割した領域ごとに第１電極をスキャンすることによって、全ての第１電極のスキャンに要する時間を短縮することができ、１画面の表示に要する時間を短縮することができる。
そして、エレクトロクロミック表示デバイスは、１画面あたりの表示に要する時間を短縮することによって、より早く画面の表示を切り替えることが可能になる。
【図面の簡単な説明】
【００１５】
【図１】実施形態１のエレクトロクロミック表示デバイスを模式的に示す平面図である。
【図２】図１のII−II線における断面図である。
【図３】図１のIII−III線における断面図である。
【図４】第２電極の４つの領域と、実施形態１の金属電線の配置を示す説明図である。
【図５】実施形態２のエレクトロクロミック表示デバイスを模式的に示す平面図である。
【図６】図５のVI−VI線における断面図である。
【図７】図５のVII−VII線における断面図である。
【図８】第２電極の４つの領域と、実施形態２の金属電線の配置を示す説明図である。
【発明を実施するための形態】
【００１６】
以下、図を参照して、本発明の実施の形態を詳細に説明する。ただし、発明の範囲は、図示例に限定されない。
【００１７】
（実施形態１）
＜エレクトロクロミック表示デバイスの構成＞
本発明のエレクトロクロミック表示デバイス１００は、例えば、図１から図３に示すように、第１基板１０と、第１基板１０の上面に設けられた第１電極２０…と、第１基板１０の上方に第１基板１０に対向して設けられた第２基板３０と、第２基板３０の下面に設けられた第２電極４０…と、第１基板１０と第２基板３０との間に設けられたエレクトロクロミック組成物層５０と、を備えて構成される。
【００１８】
エレクトロクロミック表示デバイス１００は、第１電極２０…と第２電極４０…との間の通電によって表示を実施するとともに、第１電極２０…と第２電極４０…との間の当該表示のための通電とは逆方向の通電によって、或いは、当該表示のための通電を遮断することによって、当該表示の消去を実施するパッシブマトリクス駆動の表示デバイスである。
第１電極２０…は、互いに並行して延在する複数の透明電極である。第２電極４０…は、第１電極２０…と直交する方向に互いに並行して延在する複数の透明電極によりなる透明表示電極である。そして、第１電極２０…と第２電極４０…とが立体交差する部分に画素６０…が形成されている。
【００１９】
第１基板１０は、例えば、平面状に形成された透明基板であり、エレクトロクロミック表示デバイス１００の基体としての機能を有する。
【００２０】
第１基板１０の材質は、電気的に絶縁性の透明基板であれば、特に限定されるものではなく、例えば、ガラスやプラスチックを用いることができる。ガラスとしては、例えば、ソーダライム系ガラス、低アルカリ・ホウケイ酸ガラス、無アルカリ・ホウケイ酸ガラス、無アルカリ・アミノケイ酸ガラス、石英ガラス等が挙げられる。また、プラスチックとしては、例えば、ポリエチレンテレフタレート、ポリエチレンナフタレートなどのポリエステル類、ポリアミド類、ポリカーボネート類、ポリフッ化ビニリデンなどのフッ素ポリマー類、ポリエーテル類、ポリスチレン、ポリエチレンなどのポリオレフィン類、ポリイミド類等が挙げられる。
【００２１】
第１電極２０…は、例えば、幅を有するライン状に形成された透明電極であり、互いに平行な等間隔の縞状に設けられている。第１電極２０…は、図１中、列方向（上下方向）に延在して並列している。なお、図中、省略して８列の第１電極２０を示しているが、実際には、第１電極２０…は、例えば、７６８本のラインを成している。
第１電極２０…は、エレクトロクロミック組成物層５０に接するように、かつ、第２電極４０…に対向してエレクトロクロミック組成物層５０を挟むように、第１基板１０の上面に設けられている。
第１電極２０…は、第２電極４０…と対になり、エレクトロクロミック組成物層５０に通電する機能を有する。
第１電極２０…は、第２電極４０…と立体交差、すなわち、間隔を有して交差し、その交点部分に画素６０を形成している。
【００２２】
第１電極２０の材質は、透明電極を構成可能な材質であれば、特に限定されるものではない。透明電極を構成可能な材質としては、例えば、ＩＴＯ膜やＳｎＯ２又はＩｎＯ２をコーティングした薄膜などが挙げられる。また、ＩＴＯ膜やＳｎＯ２又はＩｎＯ２をコーティングした薄膜などにＳｎやＳｂなどをドーピングしたものであってもよく、ＭｇＯ、ＺｎＯ、ＦＴＯなどであってもよい。
【００２３】
また、第１電極２０と第１基板１０の間であって第１電極２０毎に、各第１電極２０に沿って延在する金属電極部２１が設けられている。金属電極部２１は、第１基板１０の上面に設けられており、第１電極２０によって覆われている。
この金属電極部２１が第１電極２０に埋め込まれていることにより、第１電極２０の抵抗を低減することができる。その結果、通電時における第１電極２０の長手方向への電圧降下を防ぐことができるため、各画素６０における発色を安定させて、均一な表示を得ることができる。
金属電極部２１の材質は、特に限定されるものではなく、金属電極を構成する材料を用いることができる。金属電極を構成する材質としては、例えば、金、白金、銀、クロム、アルミニウム、コバルト、パラジウム、銅、ニッケル、それらの合金等が挙げられる。
【００２４】
第２基板３０は、例えば、平面状に形成された透明基板であり、第２電極４０…の支持体としての機能を有する。
【００２５】
第２基板３０の材質は、電気的に絶縁性の透明基板であれば、特に限定されるものではなく、例えば、ガラスやプラスチックを用いることができる。ガラスとしては、例えば、ソーダライム系ガラス、低アルカリ・ホウケイ酸ガラス、無アルカリ・ホウケイ酸ガラス、無アルカリ・アミノケイ酸ガラス、石英ガラス等が挙げられる。また、プラスチックとしては、例えば、ポリエチレンテレフタレート、ポリエチレンナフタレートなどのポリエステル類、ポリアミド類、ポリカーボネート類、ポリフッ化ビニリデンなどのフッ素ポリマー類、ポリエーテル類、ポリスチレン、ポリエチレンなどのポリオレフィン類、ポリイミド類等が挙げられる。
【００２６】
第２電極４０…は、例えば、幅を有するライン状に形成された透明電極であり、互いに平行な等間隔の縞状に設けられている。第２電極４０…は、図１中、行方向（左右方向）に延在して並列している。なお、図中、省略して８行の第２電極４０を示しているが、実際には、第２電極４０…は、例えば、１０２４本のラインを成している。
また、各第２電極４０は、それぞれ同じ数の第１電極２０と交差する複数の領域に分割されている。具体的に、各第２電極４０は、例えば、それぞれ１９２本の第１電極２０と交差する、４つの領域（Ｒ１〜Ｒ４）に分割されている。
第２電極４０…は、エレクトロクロミック組成物層５０に接するように、且つ、第１電極２０…に対向してエレクトロクロミック組成物層５０を挟むように、第２基板３０の下面に設けられている。
第２電極４０…は、第１電極２０…と対になり、エレクトロクロミック組成物層５０に通電する機能を有する。
第２電極４０…は、第１電極２０…と立体交差、すなわち、間隔を有して交差し、その交点部分に画素６０を形成している。
【００２７】
第２電極４０の材質は、透明電極を構成可能な材質であれば、特に限定されるものではない。透明電極を構成可能な材質としては、例えば、ＩＴＯ膜やＳｎＯ２又はＩｎＯ２をコーティングした薄膜などが挙げられる。また、ＩＴＯ膜やＳｎＯ２又はＩｎＯ２をコーティングした薄膜などにＳｎやＳｂなどをドーピングしたものであってもよく、ＭｇＯ、ＺｎＯ、ＦＴＯなどであってもよい。
【００２８】
また、第２電極４０と第２基板３０の間であって第２電極４０毎に、各第２電極４０に沿って延在する金属電極部としての金属電線（４１〜４４）が設けられている。金属電線（４１〜４４）は、第２基板３０の下面に設けられており、第２電極４０によって覆われている。
具体的には、図４に示すように、第１金属電線４１と第２金属電線４２は、第２電極４０の一方の端部から基板の中央側に延在し、第２電極４０の第１領域Ｒ１から第２領域Ｒ２に亘って配されている。第１金属電線４１と第２金属電線４２は、第２電極４０の両側に離間した配置に並行して設けられている。
また、図４に示すように、第３金属電線４３と第４金属電線４４は、第２電極４０の他方の端部から基板の中央側に延在し、第２電極４０の第４領域Ｒ４から第３領域Ｒ３に亘って配されている。第３金属電線４３と第４金属電線４４は、第２電極４０の両側に離間した配置に並行して設けられている。
なお、第１金属電線４１と第２金属電線４２、第３金属電線４３と第４金属電線４４は、それぞれ第２電極４０の縁側に設けられていることが好ましい。金属電線（４１〜４４）は、光透過性を有していないので、第２電極４０の縁側に設けられている方が、画素６０（エレクトロクロミック組成物層５０）の発色による表示を妨げにくくなる。
【００２９】
より具体的には、図４に示すように、第１金属電線４１における第２電極４０の第２領域Ｒ２に対応する範囲は絶縁膜４５で被覆されている。そして、第１金属電線４１は、第１領域Ｒ１の第２電極４０と導通可能に接続され、第２領域Ｒ２の第２電極４０とは絶縁されている。つまり、第１金属電線４１は、第２電極４０の第１領域Ｒ１の通電に寄与し、第１領域Ｒ１における画素６０の発色に寄与する。
また、第２金属電線４２における第２電極４０の第１領域Ｒ１に対応する範囲は絶縁膜４５で被覆されている。そして、第２金属電線４２は、第２領域Ｒ２の第２電極４０と導通可能に接続され、第１領域Ｒ１の第２電極４０とは絶縁されている。つまり、第２金属電線４２は、第２電極４０の第２領域Ｒ２の通電に寄与し、第２領域Ｒ２における画素６０の発色に寄与する。
また、第３金属電線４３における第２電極４０の第４領域Ｒ４に対応する範囲は絶縁膜４５で被覆されている。そして、第３金属電線４３は、第３領域Ｒ３の第２電極４０と導通可能に接続され、第４領域Ｒ４の第２電極４０とは絶縁されている。つまり、第３金属電線４３は、第２電極４０の第３領域Ｒ３の通電に寄与し、第３領域Ｒ３における画素６０の発色に寄与する。
また、第４金属電線４４における第２電極４０の第３領域Ｒ３に対応する範囲は絶縁膜４５で被覆されている。そして、第４金属電線４４は、第４領域Ｒ４の第２電極４０と導通可能に接続され、第３領域Ｒ３の第２電極４０とは絶縁されている。つまり、第４金属電線４４は、第２電極４０の第４領域Ｒ４の通電に寄与し、第４領域Ｒ４における画素６０の発色に寄与する。
【００３０】
そして、この金属電線（４１〜４４）が第２電極４０に埋め込まれていることにより、第２電極４０の抵抗を低減することができる。その結果、通電時における第２電極４０の長手方向への電圧降下を防ぐことができるため、各画素６０における発色を安定させて、均一な表示を得ることができる。
金属電線（４１〜４４）の材質は、特に限定されるものではなく、金属電極を構成する材料を用いることができる。金属電極を構成する材質としては、例えば、金、白金、銀、クロム、アルミニウム、コバルト、パラジウム、銅、ニッケル、それらの合金等が挙げられる。
また、絶縁膜４５の材質は、特に限定されるものではなく、絶縁性を有する材料を用いることができ、二酸化ケイ素（ＳｉＯ２）や、光学露光用レジスト材料などが挙げられる。
【００３１】
エレクトロクロミック組成物層５０は、例えば、スペーサ５１と、スペーサ５１に保持されたエレクトロクロミック組成物５２等を備えて構成される。
エレクトロクロミック組成物層５０の厚みは、特に限定されるものではないが、好ましくは１０μｍ〜５００μｍ、より好ましくは３０μｍ〜２００μｍに設定することによって、エレクトロクロミック組成物５２の表示機能を効果的に発現させることができる。
【００３２】
スペーサ５１は、第１基板１０と第２基板３０との間に、一定の体積で、エレクトロクロミック組成物５２を保持する役割を有する。すなわち、スペーサ５１は、エレクトロクロミック組成物５２を含むことによって、エレクトロクロミック組成物５２を第１基板１０と第２基板３０との間で支えるとともに、スペーサ５１の厚みによって、エレクトロクロミック組成物５２の量を均一に制御する役割を有する。
【００３３】
スペーサ５１としては、上述した役割を果たすものであれば任意であり、例えば、多孔性の板状体やシート状体、粒状体（多孔性であっても非多孔性であってもよい）等が挙げられる。
【００３４】
スペーサ５１が多孔性の板状体やシート状体である場合、例えば、スペーサ５１の細孔内にエレクトロクロミック組成物５２を導入することによって、エレクトロクロミック組成物層５０を形成する。この場合、第１電極２０…（第１電極２０…が設置された第１基板１０）と第２電極４０…（第２電極４０…が設置された第２基板３０）とでスペーサ５１を挟んだ後に、当該スペーサ５１の細孔内にエレクトロクロミック組成物５２を導入してエレクトロクロミック組成物層５０を形成してもよいし、スペーサ５１の細孔内にエレクトロクロミック組成物５２を導入してエレクトロクロミック組成物層５０を形成した後に、当該エレクトロクロミック組成物層５０を、第１電極２０…と第２電極４０…とで挟んでもよい。
ここで、多孔性の板状体やシート状体としては、エレクトロクロミック表示デバイス１００の表示性能向上等の観点から、第１基板１０及び第２基板３０に対して略垂直方向に貫通する細孔を有するものが好ましく、具体的には、例えば、陽極酸化アルミナやメッシュ（ネット）状シート材などが挙げられるが、これらに限定されるものではない。
【００３５】
また、スペーサ５１が粒状体である場合、例えば、スペーサ５１とエレクトロクロミック組成物５２とを混ぜてペースト状にしたものを、第１電極２０…と第２電極４０…とで挟むことによって、エレクトロクロミック組成物層５０を形成する。
【００３６】
エレクトロクロミック組成物５２は、支持電解質と、極性溶剤と、ロイコ染料と、を含んでいる。
そして、エレクトロクロミック組成物５２には、エレクトロクロミック表示デバイス１００の表示品質の劣化を抑制するための表示品質劣化抑制剤（ハイドロキノン誘導体及び／又はカテコール誘導体、フェロセン誘導体並びにカルボニル基を有する化合物）と、第１電極２０…と第２電極４０…との間の消去のための通電時にロイコ染料を吸着する吸着剤と、が添加されている。
また、エレクトロクロミック組成物５２に添加可能な成分としては、例えば、エレクトロクロミック組成物５２の物性（例えば、増粘など）を調整するためのポリマー化合物等が挙げられる。
【００３７】
エレクトロクロミック組成物５２は、エレクトロクロミック表示デバイス１００の表示にかかる発色及び消色の機能を有する。
具体的には、エレクトロクロミック組成物５２は、第１電極２０…と第２電極４０…との間の通電によって発色し、発色のための通電とは逆方向の通電によって、或いは、発色のための通電を遮断することによって消色する。
エレクトロクロミック組成物５２は、流動性があればよく、例えば、低粘度の液体状であってもよいし、高粘度のペースト状であってもよいし、流動性の小さいゲル状であってもよい。
【００３８】
エレクトロクロミック組成物５２の構成成分である支持電解質は、エレクトロクロミック組成物５２内を電流が流れ易くするための機能を有する。支持電解質は、一般に溶融塩と称する化合物を含む。支持電解質は、各化合物を単独で用いてもよいし、複数を混合して用いてもよい。
支持電解質は、エレクトロクロミック組成物５２全体の重量に対して、０．０１〜２０重量％となるように添加することが好ましく、前記機能の十分な発現のためには、０．１〜２０重量％となるように添加することがより好ましい。
【００３９】
具体的には、支持電解質は、前記機能を有する化合物であれば、特に限定されるものではなく、例えば、第１の支持電解化合物及び／又は第２の支持電解化合物が挙げられる。
第１の支持電解化合物としては、例えば、ＮａＣｌＯ４、ＬｉＣｌＯ４、ＫＣｌＯ４、ＲｂＣｌＯ４、ＣｓＣｌＯ４、ＮＨ４ＣｌＯ４、ＬｉＢＦ４、ＬｉＰＦ６等が挙げられるが、これらに限定されるものではない。
また、第２の支持電解化合物としては、例えば、（ＣＨ３）４ＮＣｌＯ４、（Ｃ２Ｈ５）４ＮＣｌＯ４、（ｎ−Ｃ４Ｈ９）４ＮＣｌＯ４、（ＣＨ３）４ＮＢＦ４、（Ｃ２Ｈ５）４ＮＢＦ４、（ｎ−Ｃ４Ｈ９）４ＮＢＦ４、（ＣＨ３）４ＮＣｌ、（Ｃ２Ｈ５）４ＮＣｌ、（ＣＨ３）４ＮＢｒ、（Ｃ２Ｈ５）４ＮＢｒ、（ｎ−Ｃ４Ｈ９）４ＮＢｒ、（ｎ−Ｃ４Ｈ９）４ＮＩ、Ｃ６Ｈ５（ＣＨ３）３ＮＣｌＯ４、Ｃ６Ｈ５（Ｃ２Ｈ５）３ＮＣｌＯ４、Ｃ８Ｈ１７（ＣＨ３）３ＮＣｌＯ４、（Ｃ２Ｈ５）４ＮＰＦ６、（ｎ−Ｃ４Ｈ９）４ＮＰＦ６、（ＣＨ３）４ＮＣＦ３ＳＯ３、（Ｃ２Ｈ５）４ＮＣＦ３ＳＯ３等が挙げられるが、これらに限定されるものではない。
【００４０】
エレクトロクロミック組成物５２の構成成分である極性溶剤は、支持電解質を用い通電性を示す有機溶媒の少なくとも１種であり、ロイコ染料の消色を電圧及び／又は電流の遮断により促進する機能を有する。また、極性溶剤は、エレクトロクロミック組成物５２にポリマー化合物を添加する場合に、そのポリマー化合物の溶剤としての機能も果たす。極性溶剤は、各種を単独で用いてもよいし、適宜２種類以上を組み合わせて用いてもよい。
【００４１】
以下に、好適な極性溶剤の例を示すが、これらは例示であり、極性溶剤を限定するものではない。
極性溶剤の具体例としては、例えば、Ｎ−メチルピロリドン、ジメチルホルムアミド、ジエチルホルムアミド、Ｎ，Ｎ−ジメチルアセトアミド、プロピレンカーボネート、ジメチルスルフォキシド、γ-ブチロラクトン、アセトニトリル、プロピオニトリル、ブチロニトリル等が挙げられる。例示した極性溶剤は、何れもエレクトロクロミック組成物５２の構成成分として用いる極性溶剤として好ましいものであるが、特に好ましいものとしてはＮ，Ｎ−ジメチルアセトアミドが挙げられる。
【００４２】
エレクトロクロミック組成物５２の構成成分であるロイコ染料は、無色又は淡色の電子供与性染料前駆体であり、フェノール性化合物などの顕色剤、酸性物質、電子受容性物質によって発色する化合物である。
ロイコ染料としては、例えば、部分骨格にラクトン、ラクタム、スルトン、スピロピラン、エステル又はアミド構造を有する実用上無色となりうる化合物等が挙げられる。具体的には、例えば、トリアリルメタン化合物、ビスフェニルメタン化合物、キサンテン化合物、フルオラン化合物、チアジン化合物、スピロピラン化合物等が挙げられるが、これらに限定されるものではない。
【００４３】
ロイコ染料は、前記化合物の中から適宜選択することによって、各種カラーの発色を行うことができる。したがって、ロイコ染料を用いたエレクトロクロミック表示デバイス１００の表示色は、ロイコ染料によって適宜選択することができる。具体的には、例えば、ブラックに発色するロイコ染料を用いる場合は、白黒及びグレー表示が可能となる。
【００４４】
ロイコ染料の配合量は、ロイコ染料の溶解度に依存するため、一概に表すことは難しいが、ロイコ染料は、発色のために充分な量が配合されている必要がある。溶解度が小さいロイコ染料の場合は、必要な量が含まれるように、例えば、各画素６０に対応するエレクトロクロミック組成物層５０の体積（スペーサ５１の厚み）を大きくする等して、ロイコ染料の配合量を調節するとよい。
【００４５】
エレクトロクロミック組成物５２に添加される表示品質劣化抑制剤は、ロイコ染料の発色、消色の繰り返し動作に伴うエレクトロクロミック表示デバイス１００の表示品質の劣化を抑制する機能を有する化合物である。
表示品質劣化抑制剤の添加量は、ロイコ染料の含有量に対して、１〜２０重量％となるように添加することが好ましく、前記機能の十分な発現のためには、５〜２０重量％となるように添加することが好ましい。
【００４６】
表示品質劣化抑制剤は、第１の表示品質劣化抑制化合物（ハイドロキノン誘導体及び／又はカテコール誘導体）と、第２の表示品質劣化抑制化合物（フェロセン誘導体）と、第３の表示品質劣化抑制化合物（カルボニル基を有する化合物（アセトフェノン誘導体及び／又はジベンゾイル誘導体））と、の混合物である。
【００４７】
エレクトロクロミック組成物５２に添加される吸着剤は、例えば、酸化アルミニウム及び／又は水酸化アルミニウムである。
吸着剤（酸化アルミニウム及び／又は水酸化アルミニウム）の添加の態様は、特に限定されるものではないが、エレクトロクロミック組成物５２中に粉末で添加し、超音波やボールミル、ホモミキサーなどのホモジナイザーを用いて均一に分散し、エレクトロクロミック組成物５２溶液の分散液として用いることが好ましい。
【００４８】
吸着剤の添加量は、用いる酸化アルミニウム及び／又は水酸化アルミニウムの活性度、粒径等により異なる。
αアルミナのように表面積の小さい酸化アルミニウム、１０μｍ以上の粒径を有する大きな酸化アルミニウム、表面積の小さい水酸化アルミニウム、１０μｍ以上の粒径を有する水酸化アルミニウムは、ロイコ染料の吸着効果が小さく、十分な吸着動作を発現するためには、１グラムのロイコ染料に対して、０．５グラム〜５グラム、好ましくは１グラム〜３グラムの添加が好ましい。
また、γアルミナのように表面積の大きい酸化アルミニウム、１μｍ以下の粒径を有する小さい酸化アルミニウム、表面積の大きい水酸化アルミニウム、１μｍ以下の粒径を有する小さい酸化アルミニウムは、ロイコ染料の吸着効果が大きいため、１グラムのロイコ染料に対して、０．１グラム〜０．５グラムの添加で、十分な吸着動作を発現する。
また、薄層クロマトグラフィなどに用いられる活性アルミナの類は、数１０μｍの粒径を有する大粒子であっても、１グラムのロイコ染料に対して、０．１グラム〜０．５グラムの添加で、十分な吸着動作を発現する。
【００４９】
ロイコ染料を吸着する吸着剤は、化成品にて容易に入手できる。
以下に、好適な市販の吸着剤の例を示すが、これらは例示であり、吸着剤を限定するものではない。
市販の吸着剤の具体例としては、例えば、メルク社製薄層クロマト用酸化アルミニウム６０ＧＮｅｕｔｒａｌ（粒径４μｍ〜５０μｍ）、日本軽金属製ローソーダアルミナＬＳ２３５（粒径０．４７μｍ），活性アルミナＣ２００（粒径４．４μｍ），水酸化アルミニウムＢ１４０３（粒径１．５μｍ）、住友化学製γアルミナＫＣ５０１（粒径１μｍ）等が挙げられる。
【００５０】
エレクトロクロミック組成物５２に添加されるポリマー化合物は、エレクトロクロミック組成物５２の粘度を高め、その取り扱いを容易にする機能を有する。ポリマー化合物は各種を単独で用いてもよいし、適宜２種類以上を組み合わせて用いてもよい。
ポリマー化合物は、エレクトロクロミック組成物５２の粘度を高めるために用いるが、この場合のエレクトロクロミック組成物５２の性状は、低粘度の液体状、高粘度のペースト状、流動性の小さいゲル状、とすることができる。
ポリマー化合物の好ましい配合量は、エレクトロクロミック組成物５２全体の重量に対して、０．１〜８０重量％とすることが好ましい。
【００５１】
以下に、好適なポリマー化合物の例を示すが、これらは例示であり、ポリマー化合物を限定するものではない。
ポリマー化合物の具体例としては、例えば、ポリフッ化ビニリデン、ポリ塩化ビニリデン、ポリエチレンオキサイドなどのポリアルキレンオキサイド、又は、ポリアルキレンイミン、ポリアルキレンスルフィドの繰返し単位を有する高分子、ポリメチルメタクリレート、ポリアクリロニトリル、ポリカーボネート、ポリビニルブチラールのごときポリビニルホルマール等が挙げられる。特に好ましいものとしては、ポリビニルブチラール、ポリフッ化ビニリデンが挙げられる。
【００５２】
以上に説明したエレクトロクロミック組成物５２は、一例であり、その他にも電気化学的な発色が可能な組成物であれば、これをスペーサ５１により保持したものをエレクトロクロミック組成物層５０として用いることが可能である。
【００５３】
＜エレクトロクロミック表示デバイスの駆動方法＞
エレクトロクロミック表示デバイス１００は、例えば、パッシブマトリックス駆動によって、以下のように駆動される。
【００５４】
エレクトロクロミック表示デバイス１００の各画素６０は、第１電極２０…と第２電極４０…とにより挟まれたエレクトロクロミック組成物層５０によって構成される。
エレクトロクロミック表示デバイス１００の表示（発色）は、第１電極２０…と第２電極４０…の間の通電によってエレクトロクロミック組成物５２に通電することによって、各画素６０のエレクトロクロミック組成物５２が電気化学的な変化を起こし発色することによって行われる。また、エレクトロクロミック表示デバイス１００の消色は、表示のための通電とは逆方向の通電によって、或いは、表示のための通電を遮断して放置することによって行われるが、表示のための通電とは逆方向の通電の方が、速やかに消去動作を実施することができる。
【００５５】
特に、本発明のエレクトロクロミック表示デバイス１００における第２電極４０は、第１領域Ｒ１から第４領域Ｒ４の４つの領域に分割されており、第２電極４０の各領域（Ｒ１〜Ｒ４）はそれぞれに対応する金属電線（４１〜４４）により通電がなされるようになっている。つまり、４つの領域（Ｒ１〜Ｒ４）ごとにエレクトロクロミック組成物５２に対する通電を行い、それら領域（Ｒ１〜Ｒ４）ごとの表示（発色）を独立して行うことができるようになっている。
そして、従来のエレクトロクロミック表示デバイスにおいて、１画面分の表示を行う場合に、第１電極２０を７６８本スキャンするパッシブマトリックス駆動を要していたが、本発明のエレクトロクロミック表示デバイス１００の場合には、４つの領域（Ｒ１〜Ｒ４）を同時にスキャンするように、各領域の第１電極２０を１９２本スキャンするパッシブマトリックス駆動によって、１画面分の表示を行うことができる。
このように、本発明のエレクトロクロミック表示デバイス１００では、全ての第１電極２０のスキャンに要する時間を従来の四分の一にすることができ、１画面の表示に要する時間を四分の一にすることが可能になる。
【００５６】
なお、エレクトロクロミック表示デバイス１００の発色濃度は、通電する電気量によって任意に調節することができる。さらに、通電は、電流の連続的な供給によっても、電流の間欠的な供給によっても可能である。電流の間欠的な供給とは、例えば、パルスによる駆動を指す。
また、エレクトロクロミック表示デバイス１００の発色は、通電の遮断によって消色するが、電子ペーパー等に適用する場合には、発色を維持する必要がある。エレクトロクロミック表示デバイス１００の発色の維持は、例えば、表示のために印加した電流よりも小さい電流の供給によって行うことができる。連続的な電流の供給であれば、発色の維持は、電圧又は電流を発色時の半分以下にして行うことができる。また、間欠的な電流の供給、すなわちパルス駆動であれば、発色の維持は、例えば、通電期間を発色時よりも短くしたり、パルスの強度、幅、又は間隔を発色時よりも小さくしたりして行うことができる。
【００５７】
＜実施例＞
以下に、具体的な実施例によって本発明を更に詳細に説明するが、本発明はこれらに限定されるものではない。
【００５８】
（エレクトロクロミック表示デバイスの作製）
第１基板１０として、０．７ｍｍ厚の矩形状の無アルカリガラス基板を用い、その一方の面（上面）に、金（Ａｕ）の薄膜をスパッタ形成した。スパッタされた金の薄膜は、膜厚１００ｎｍであった。スパッタ形成された金の薄膜を、エッチング法を用いて、ストライプ幅１０μｍ、ピッチ１５０μｍとして、金属電極部２１をストライプ状にパターン形成した。
更に、金属電極部２１のストライプパターンの上に、一面的にＩＴＯ膜をスパッタ形成した。スパッタ形成されたＩＴＯ膜は、膜厚２００ｎｍ、表面抵抗１０Ω／□であった。スパッタ形成されたＩＴＯ膜を、エッチング法を用い、ストライプ幅１４０μｍ、ピッチ１５０μｍとして、ストライプ状にパターン形成することにより、第１電極２０…を形成した。
【００５９】
第２基板３０として、０．７ｍｍ厚の矩形状の無アルカリガラス基板を用い、その一方の面（下面）に、金（Ａｕ）の薄膜をスパッタ形成した。スパッタされた金の薄膜は、膜厚１００ｎｍであった。スパッタ形成された金の薄膜を、エッチング法を用いて、ストライプ幅１０μｍ、ピッチ７５μｍとして、金属電線をストライプ状にパターン形成するとともに、それら金属電線の長手方向の中央部分を間隔１０μｍになるように切断し、金属電線を左右に振り分けるようにして、金属電線（４１〜４４）を形成した。
更に、金属電線（４１〜４４）のストライプパターンの上に、一面的に二酸化ケイ素の絶縁層をスパッタ形成し、そのスパッタ形成された絶縁層をエッチング法によりパターニングして、各金属電線（４１〜４４）をそれぞれ部分的に被覆する絶縁膜４５を形成した。
更に、金属電線（４１〜４４）および絶縁膜４５の上に、一面的にＩＴＯ膜をスパッタ形成した。スパッタ形成されたＩＴＯ膜は、膜厚２００ｎｍ、表面抵抗１０Ω／□であった。スパッタ形成されたＩＴＯ膜を、エッチング法を用い、ストライプ幅１４０μｍ、ピッチ１５０μｍとして、ストライプ状にパターン形成するとともに、そのストライプ方向（長手方向）にＩＴＯ膜を四等分して、それぞれの間隔が１０μｍになるように分割された第２電極４０…を形成した（図４参照）。
【００６０】
次いで、第１電極２０…と第２電極４０…との間にスペーサ５１（粒状体（積水化学製ミクロパールＧＳ−２６０（粒径６０μｍ）））を挟み、第１電極２０…が第２電極４０…に対して直交し、かつ、その直交部が画素６０…となるように調整して、第１電極２０…が形成された第１基板１０と、第２電極４０…が形成された第２基板３０と、を重ね合わせた。そして、４つの側面（厚さ方向に平行する面）のうちの３つを接着剤（例えば、熱硬化性のエポキシ）で接着封止した。
【００６１】
次いで、接着剤未接着部分から、所定の添加物（表示品質劣化抑制剤やポリマー化合物など）が添加されたエレクトロクロミック組成物５２（以下「エレクトロクロミック組成物Ａ」と呼ぶ）を、ピペットを用いて注入した。そして、４つの側面（厚さ方向に平行する面）のうちの接着剤未接着部分を接着剤で接着封止し、エレクトロクロミック表示デバイス１００を作製した。
【００６２】
エレクトロクロミック組成物Ａの組成は、
支持電解質（テトラｎブチルアンモニウムテトラフルオロボレート（ｎ−Ｃ４Ｈ９）４ＮＢＦ４）１００ｍｇ、
極性溶剤（ジメチルスルフォキシド（Dimethyl sulfoxide, DMSO）と炭酸プロピレン（propylene carbonate, PC）を１：１）１．０ｇ、
ロイコ染料（下記の式（１））３００ｍｇ、
ハイドロキノン誘導体（下記の式（２））５６ｍｇ、
フェロセン誘導体（下記の式（３））１５ｍｇ、
カルボニル基を有する化合物（ジベンゾイル誘導体）（下記の式（４））１０６ｍｇ、
吸着剤（酸化アルミニウム；日本軽金属製活性アルミナＣ２００）７５ｍｇ、
ポリマー化合物（ポリビニルブチラール；積水化学製エスレックＢＨ３）２５ｍｇ、である。
【００６３】
【化１】
2012027352.tif 000003
【００６４】
【化２】
2012027352.tif 000004
【００６５】
【化３】
2012027352.tif 000005
【００６６】
【化４】
2012027352.tif 000006
【００６７】
（表示動作）
エレクトロクロミック表示デバイス１００の、ライン電極（第１電極２０）７６８ライン（７６８本の金属電極部２１）、及びデータ電極（第２電極４０）１０２４ライン（各１０２４本の金属電線（４１〜４４））の部分にパターン作製回路を接続した。
次いで、パッシブマトリクス駆動法を用いて、表示のための通電を行った。具体的には、選択された画素６０（選択画素）を形成する第１電極２０に負電圧（−３Ｖ）印加し、選択画素を形成する第２電極４０に正電圧（＋３Ｖ）を印加し、１ライン当たり１ミリ秒の速度で、電極間に６Ｖの電圧を印加することにより、表示パターンを形成した。
特に、データ電極（第２電極４０）に対応する４つの領域（Ｒ１〜Ｒ４）を同時にスキャンするように、１ライン当たり１ミリ秒の速度で各領域（Ｒ１〜Ｒ４）のライン電極（第１電極２０）を１９２本スキャンするパッシブマトリックス駆動によって、０．１９２秒間で表示パターンを形成した。
【００６８】
（保持動作）
次いで、選択画素を形成する第１電極２０に負電圧（−１．５Ｖ）印加し、選択画素を形成する第２電極４０に正電圧（＋１．５Ｖ）を印加し、１ライン当たり１ミリ秒の速度で、電極間に３Ｖの電圧を印加することにより、表示パターンを１０秒間保持した。
【００６９】
（消去動作）
次いで、表示と反対方向に通電（消去のための通電）を行った。具体的には、選択画素を形成する第１電極２０に正電圧（＋１．５Ｖ）を印加し、選択画素を形成する第２電極４０に負電圧（−１．５Ｖ）印加し、１ライン当たり１ミリ秒の速度で、電極間に３Ｖの電圧を印加し、０．５秒間通電することにより、表示パターンを消去した。
【００７０】
（視覚による評価）
本実施例では、上記表示動作によって、解像度の高い英語文字のパターンを高速で表示させることができた。
また、上記保持動作によって、表示された解像度の高い英語文字のパターンを保持することができた。
また、上記消去動作によって、表示された英語文字のパターンを確実に消去することができた。
【００７１】
以上のように、本発明のエレクトロクロミック表示デバイス１００は、第２電極４０に関する４つの領域（Ｒ１〜Ｒ４）を同時にスキャンするように、各領域の第１電極２０を１９２本スキャンするパッシブマトリックス駆動によって、１画面分の表示を行うことができる。これにより、従来のエレクトロクロミック表示デバイスにおいて、１画面分の表示に、第１電極２０を７６８本スキャンするパッシブマトリックス駆動に要していた時間を四分の一にすることができる。
具体的には、１ライン当たり１ミリ秒の速度で、第１電極２０を７６８本スキャンした場合、０．７６８秒間で１画面分の表示パターンを形成することに対し、本発明のように、各領域（Ｒ１〜Ｒ４）の第１電極２０を１９２本スキャンすることによっては、０．１９２秒間で１画面分の表示パターンを形成することができる。
このように、本発明のエレクトロクロミック表示デバイス１００では、全ての第１電極２０のスキャンに要する時間を従来の四分の一にすることができ、１画面の表示に要する時間を四分の一にすることが可能になる。そして、エレクトロクロミック表示デバイス１００は、１画面あたりの表示に要する時間を短縮することによって、より早く画面の表示を切り替えることが可能になる。
つまり、このエレクトロクロミック表示デバイス１００は、より早い画面の切り替えが可能な表示デバイスとして機能することができる。
【００７２】
（実施形態２）
次に、本発明に係るエレクトロクロミック表示デバイスの実施形態２について説明する。なお、実施形態１と同様の構成については、同符号を付して説明を割愛する。
【００７３】
エレクトロクロミック表示デバイス１０１は、例えば、図５から図７に示すように、第１基板１０と、第１基板１０の上面に設けられた第１電極２０…と、第１基板１０の上方に第１基板１０に対向して設けられた第２基板３０と、第２基板３０の下面に設けられた第２電極４０…と、第１基板１０と第２基板３０との間に設けられたエレクトロクロミック組成物層５０と、を備えて構成される。
【００７４】
そして、図５から図８に示すように、第２電極４０と第２基板３０の間であって第２電極４０毎に、各第２電極４０に沿って延在する金属電極部としての金属電線（４１〜４４）が設けられている。
第２金属電線４２は、第２基板３０の下面に設けられており、その第２金属電線４２に重なる配置に第１金属電線４１が設けられている。
第３金属電線４３は、第２基板３０の下面に設けられており、その第３金属電線４３に重なる配置に第４金属電線４４が設けられている。
これら金属電線（４１〜４４）は、第２電極４０によって覆われている。
【００７５】
具体的には、図８に示すように、第２金属電線４２は、第２電極４０の一方の端部から基板の中央側に延在し、第２電極４０の第１領域Ｒ１から第２領域Ｒ２に亘って配されている。また、第１金属電線４１は、第２金属電線４２に重なる配置で第２電極４０の一方の端部から第１領域Ｒ１の範囲に亘って配されている。つまり、第１金属電線４１と第２金属電線４２は、第２基板３０の下面に積層された配置に設けられている。
また、図８に示すように、第３金属電線４３は、第２電極４０の他方の端部から基板の中央側に延在し、第２電極４０の第４領域Ｒ４から第３領域Ｒ３に亘って配されている。また、第４金属電線４４は、第３金属電線４３に重なる配置で第２電極４０の他方の端部から第４領域Ｒ４の範囲に亘って配されている。つまり、第４金属電線４４と第３金属電線４３は、第２基板３０の下面に積層された配置に設けられている。
なお、金属電線（４１〜４４）は、第２電極４０の縁側に設けられていることが好ましい。金属電線（４１〜４４）は、光透過性を有していないので、第２電極４０の縁側に設けられている方が、画素６０（エレクトロクロミック組成物層５０）の発色による表示を妨げにくくなる。
【００７６】
より具体的には、図８に示すように、第２金属電線４２における第２電極４０の第１領域Ｒ１に対応する範囲は絶縁膜４５で被覆されている。そして、第２金属電線４２は、第２領域Ｒ２の第２電極４０と導通可能に接続され、第１領域Ｒ１の第２電極４０とは絶縁されている。つまり、第２金属電線４２は、第２電極４０の第２領域Ｒ２の通電に寄与し、第２領域Ｒ２における画素６０の発色に寄与する。
第１金属電線４１は、第２電極４０の第１領域Ｒ１において、第２金属電線４２を被覆している絶縁膜４５上に設けられている。そして、第１金属電線４１は、第１領域Ｒ１の第２電極４０と導通可能に接続されている。つまり、第１金属電線４１は、第２電極４０の第１領域Ｒ１の通電に寄与し、第１領域Ｒ１における画素６０の発色に寄与する。
また、図８に示すように、第３金属電線４３における第２電極４０の第４領域Ｒ４に対応する範囲は絶縁膜４５で被覆されている。そして、第３金属電線４３は、第３領域Ｒ３の第２電極４０と導通可能に接続され、第４領域Ｒ４の第２電極４０とは絶縁されている。つまり、第３金属電線４３は、第２電極４０の第３領域Ｒ３の通電に寄与し、第３領域Ｒ３における画素６０の発色に寄与する。
第４金属電線４４は、第２電極４０の第４領域Ｒ４において、第３金属電線４３を被覆している絶縁膜４５上に設けられている。そして、第４金属電線４４は、第４領域Ｒ４の第２電極４０と導通可能に接続されている。つまり、第４金属電線４４は、第２電極４０の第４領域Ｒ４の通電に寄与し、第４領域Ｒ４における画素６０の発色に寄与する。
【００７７】
そして、このエレクトロクロミック表示デバイス１０１においても、第２電極４０は、第１領域Ｒ１から第４領域Ｒ４の４つの領域に分割されており、第２電極４０の各領域（Ｒ１〜Ｒ４）はそれぞれに対応する金属電線（４１〜４４）により通電がなされるようになっている。つまり、４つの領域（Ｒ１〜Ｒ４）ごとにエレクトロクロミック組成物５２に対する通電を行い、それら領域（Ｒ１〜Ｒ４）ごとの表示（発色）を独立して行うことができるようになっている。
【００７８】
このようなエレクトロクロミック表示デバイス１０１であっても、１ライン当たり１ミリ秒の速度で、第２電極４０の各領域（Ｒ１〜Ｒ４）に対応する第１電極２０を１９２本スキャンすることによって、０．１９２秒間で１画面分の表示パターンを形成することができ、従来の四分の一の時間で１画面分の表示を行うことができる。
そして、エレクトロクロミック表示デバイス１０１は、従来の表示デバイスよりも１画面あたりの表示に要する時間を短縮することができるので、より早く画面の表示を切り替えることが可能な表示デバイスとして機能する。
【００７９】
なお、以上の実施の形態においては、第２電極４０を４つの領域（Ｒ１〜Ｒ４）に分割するとしたが、本発明はこれに限定されるものではなく、その他任意の数に分割してもよく、その数に応じた金属電線を形成するようにすればよい。
【００８０】
また、その他、具体的な細部構造等についても適宜に変更可能であることは勿論である。
【符号の説明】
【００８１】
１００、１０１  エレクトロクロミック表示デバイス
１０    第１基板
２０    第１電極
２１    金属電極部
３０    第２基板
４０    第２電極
４１    第１金属電線
４２    第２金属電線
４３    第３金属電線
４４    第４金属電線
４５    絶縁膜
５０    エレクトロクロミック組成物層
５１    スペーサ
５２    エレクトロクロミック組成物
６０    画素
Ｒ１    第１領域
Ｒ２    第２領域
Ｒ３    第３領域
Ｒ４    第４領域
【図１】
2012027352.tif 000007
【図２】
2012027352.tif 000008
【図３】
2012027352.tif 000009
【図４】
2012027352.tif 000010
【図５】
2012027352.tif 000011
【図６】
2012027352.tif 000012
【図７】
2012027352.tif 000013
【図８】
2012027352.tif 000014